(57)【要約】      （修正有）【課題】眼鏡レンズの光学特性を容易に高精度で測定可能なレンズ光学特性測定装置を提供する。【解決手段】レンズ位置移動部、レンズ支持部、及びレンズ保持部を含むレンズ光学特性測定装置であり、レンズ保持部は、枠体１８ｈ、レンズ当接部１８ｍ及びレンズ押え部１８ｄを含み、枠体１８ｈの枠内にレンズ当接部１８ｍが配置され、レンズ当接部１８ｍは、前記眼鏡レンズの枠の縁部又はレンズの縁部に当接し、かつ前記縁部が摺動自在な状態で前記枠体の枠内にレンズを保持可能であり、レンズ押え部１８ｄは、レンズ位置移動部によるレンズ支持部側への移動により、レンズ支持部に載置されたレンズをレンズ支持部に向けて圧力をかけた状態で押えることが可能である、レンズ光学特性測定装置。【選択図】図１１
2022003307.tif 000002
【特許請求の範囲】
【請求項１】
操作入力部、光学系、レンズ支持部、レンズ保持部、レンズ押え部、レンズ位置移動部、測定制御部、測定演算部、及び、出力部を含み、
前記操作入力部は、測定内容を含む操作情報を前記測定制御部に入力可能であり、
前記光学系は、光照射部及び受光部を含み、
前記光照射部は、測定対象のレンズに光を照射し、
前記受光部は、前記光を照射された前記レンズから出射された測定光を受光し、
前記光照射部と前記受光部との間に光照射による光軸が形成され、
前記レンズは、眼鏡レンズであり、
前記レンズは、装用状態の眼球側のレンズ後面、及び、前記レンズ後面の反対側のレンズ前面を有し、
前記レンズは、加工前のレンズ、加工後のレンズ、又は加工後で眼鏡の枠に設置されたレンズであり、
前記レンズ支持部は、支持部本体、及び、レンズ受部を含み、
前記支持部本体の先端に前記レンズ受部が配置され、
前記光軸と垂直に交わる水平面における仮想円を仮想した場合、
前記光軸は、前記仮想円内を通り、
前記レンズ受部は、前記仮想円の円周上において、又は、前記仮想円の円周の複数点で、前記レンズの前記レンズ後面と当接して前記レンズを載置可能であり、
前記レンズ保持部は、前記レンズを保持し、
前記レンズ位置移動部は、前記レンズ保持部に連結して前記レンズの位置を、Ｘ方向、Ｙ方向、及び、Ｚ方向に移動可能であり、
前記Ｘ方向及び前記Ｙ方向は、同一面で互いに直交し、かつ、前記レンズの光軸方向と直交する方向であり、
Ｚ方向は、前記レンズの光軸方向と平行な方向であり、
前記測定制御部は、前記レンズ位置移動部による前記レンズの位置移動を制御可能であり、
前記測定演算部は、前記受光部で受光した光信号に基づきレンズ光学特性を演算可能であり、
前記出力部は、前記レンズ光学特性を出力可能であり、
前記レンズ保持部は、枠体、及び、レンズ保持部材を含み、
前記枠体の枠内に前記レンズ保持部材が配置され、
前記レンズ保持部材は、レンズ当接部を含み、
前記レンズ当接部は、前記眼鏡レンズの枠の縁部又はレンズの縁部に当接し、かつ前記縁部が摺動自在な状態で前記枠体の枠内に前記レンズを保持可能であり、
前記レンズ押え部は、前記レンズ位置移動部による前記レンズ受部側のＺ方向への移動、及び、前記レンズ押え部の前記レンズ受部側のＺ方向への移動の少なくとも一方の移動により、前記レンズ支持部の前記レンズ受部に載置された前記レンズを前記レンズ受部に向けて圧力をかけた状態で押えることが可能である、
レンズ光学特性測定装置。
【請求項２】
前記測定制御部による制御により、前記レンズ位置移動は、前記レンズの複数の測定点毎に、前記測定点に約前記光軸が通るように前記レンズを前記レンズ支持部の前記レンズ受部に載置し、
前記レンズ押え部の前記圧力により、前記各測定点に応じて前記レンズが光学特性測定時の各姿勢をとり、
前記各姿勢の状態で、前記光照射部が前記レンズに光を照射する、
請求項１記載のレンズ光学特性測定装置。
【請求項３】
前記レンズ押え部は、前記レンズ保持部の前記枠体に設けられ、
前記レンズ押え部は、前記レンズ前面の周辺部に対し前記圧力をかけた状態で前記レンズを押える、
請求項１又は２記載のレンズ光学特性測定装置。
【請求項４】
前記レンズ押え部は、前記レンズにおいて、前記レンズ前面の前記レンズ受部と対向する箇所に対し圧力をかけて押える、
請求項１又は２記載のレンズ光学特性測定装置。
【請求項５】
前記レンズ保持部は、さらに、付勢部材を含み、
前記レンズ保持部材は、レンズ当接部及びアームを含み、
前記レンズ当接部は、前記眼鏡レンズの枠の縁部又は前記レンズの縁部に当接し、
前記アームの一端側に前記レンズ当接部が配置され、
前記アームの他端側が、前記枠体に回動自在に配置されており、
前記枠体に前記付勢部材が配置され、
前記レンズ保持部材の前記レンズ当接部が、前記付勢部材により、前記枠体の枠内中央側に付勢されている、
請求項１から４のいずれか一項に記載のレンズ光学特性測定装置。
【請求項６】
さらに、レンズ保持セット、及び、付勢部材を含み、
前記レンズ保持セットは、二本の前記レンズ保持部材から構成され、
前記枠体に前記付勢部材が配置され、
前記レンズ保持セットにおいて、
前記二本のレンズ保持部材の各前記レンズ当接部が、互いに対向した状態で、前記二つのレンズ保持部材が前記枠体の枠内に配置され、
各前記レンズ当接部が、前記付勢部材により、前記型枠の枠内中央側に付勢されており、前記二本の各レンズ保持部材は、それぞれアームを含み、
前記各アームの一端側に前記レンズ当接部が配置され、
前記アームの他端側が、前記型枠に回動自在に配置されている、
請求項１から４のいずれか一項に記載のレンズ光学特性測定装置。
【請求項７】
さらに、同期機構を含み、前記同期機構により、前記レンズ保持セットの二本の前記レンズ保持部材が、同期して動く、
請求項６記載のレンズ光学特性測定装置。
【請求項８】
前記枠体は、矩形状枠体であり、
前記矩形状枠体は、互いに対抗する一対の辺を二組有し、
前記一つの一対の辺が前記装置の左右方向に対応し、前記他方の一対の辺が前記装置の前後方向に対応し、
前記矩形状枠体が、前記左右方向を回転軸として回転可能に軸支され、
前記矩形状枠体に対し、順方向又は逆方向のいずれかの回転方向に付勢されている、
請求項１から７のいずれか一項に記載のレンズ光学特性測定装置。
【請求項９】
前記光照射部の上方に、前記レンズ支持部が配置され、
前記レンズ支持部の前記レンズ受部に載置された前記レンズ後面に対し、前記光照射部から光が照射される、請求項１又は２記載のレンズ光学特性測定装置。
【請求項１０】
前記光照射部は、光源部を含み、
前記光源部は、波長が異なる複数のＬＥＤ発光素子、基板、及び、拡散板を含み、
前記ＬＥＤ発光素子は前記基板上に搭載され、
前記拡散板は、前記ＬＥＤ発光素子の光出射方向に配置されている、
請求項９記載のレンズ光学特性測定装置。
【請求項１１】
さらに、視標板を含み、前記視標板は、前記拡散板の光出射方向側に配置されている、請求項１０記載のレンズ光学特性測定装置。
【請求項１２】
さらに、レンズ後面Ｚ位置検出部を含み、
前記レンズ後面位置検出部は、前記レンズの各測定点における前記レンズの前記Ｚ方向の位置を検出する、
請求項１から１１のいずれか一項に記載のレンズ光学特性測定装置。
【請求項１３】
前記レンズ後面Ｚ位置検出部は、接触センサー、及び、光学検出機構の少なくとも一方を含み、
前記接触センサーは、前記レンズ後面の接触により前記レンズ後面Ｚ位置を検出し、
前記光学検出機構は、レーザ照射部及び受光部を含み、前記レーザ照射部は、レーザ光を前記レンズ後面に照射し、前記受光部は、前記レーザ光が照射された前記レンズ後面からの散乱光を受光して前記レンズ後面Ｚ位置を検出する、
請求項１２記載のレンズ光学測定装置。
【請求項１４】
前記接触センサーは、磁気スイッチとスイッチアームを含み、
前記磁気スイッチは、磁気スイッチ本体及びスイッチ部を含み、
前記スイッチアームの上に、前記磁気スイッチ及び前記支持部本体が配置され、
前記磁気スイッチの配置は、前記磁気スイッチのスイッチ部が前記仮想円内において前レンズ後面に接触可能な状態での配置である、
請求項１３記載のレンズ光学特性測定装置。
【請求項１５】
第１の測定工程、及び、第２の測定工程を含み、
前記第１の測定工程は、
請求項１から１４のいずれか一項に記載のレンズ光学特性測定装置を用い、
前記レンズ位置移動部により、前記レンズの一つの測定点に前記光軸が通るように前記レンズを移動し、前記レンズ支持部の前記レンズ受部に前記圧力をかけた状態で前記レンズを載置して固定し、前記固定状態で、前記一つの測定点におけるレンズ光学特性を測定し、
前記第２の測定工程は、
前記レンズ光学特性測定装置を用い、
前記レンズ位置移動部により、前記レンズの他の測定点に前記光軸が通るように前記レンズを移動し、前記レンズ支持部の前記レンズ受部に前記圧力をかけた状態で前記レンズを載置して固定し、前記固定状態で、前記他の測定点におけるレンズ光学特性を測定する、
レンズ光学特性測定方法。
【請求項１６】
前記第１の測定工程及び前記第２の測定工程の少なくとも一方の工程において、
前記レンズ支持部の前記レンズ受部に前記レンズを載置しない状態で、前記一つの測定点及び前記他の測定点の少なくとも一方の測定点におけるレンズ光学特性を測定する、
請求項１５記載のレンズ光学特性測定方法。
【請求項１７】
前記一つの測定点が、前記レンズの光学中心点であり、
前記他の測定点が、前記レンズにおいて、遠点、中間点、近点、遠点側方点、中間点側方点、及び、近点側方点からなる群から選択された少なくとも一つの測定点である、
請求項１５又は１６記載のレンズ光学測定測定方法。
【請求項１８】
レンズＺ位置検出工程を含み、
前記レンズＺ位置検出工程は、前記各測定点における前記レンズのＺ位置を検出する工程であり、
前記第１の測定工程、及び、前記第２の測定工程において、前記レンズ光学特性測定装置は、請求項１２又は１３記載のレンズ光学測定装置であり、
前記第１の測定工程、及び、前記第２の測定工程において、前記レンズＺ位置検出工程を実施する、
請求項１５から１７のいずれか一項に記載のレンズ光学特性測定方法。
【請求項１９】
前記第１の測定工程、及び、前記第２の測定工程の少なくとも一方の工程において、複数のＺ位置でレンズ光学特性を測定する、
請求項１８記載のレンズ光学特性測定方法。
【請求項２０】
前記第１の測定工程、及び、前記第２の測定工程の少なくとも一方の工程において、
前記測定点にマークがある場合は、前記マークがある前記測定点に前記光軸が通るように、前記レンズを移動して前記レンズ受部に前記レンズを載置してレンズ光学特性を測定し、
前記測定点にマークが無い場合は、前記レンズ支持部の前記レンズ受部よりも高い上方位置に前記レンズを配置し、前記レンズにおいて仮測定点を想定して、前記仮測定点に前記光軸が通るように、前記レンズを移動してレンズ光学特性を測定する、
請求項１５から１９のいずれか一項に記載のレンズ光学測定方法。
【請求項２１】
前記第１の測定工程、及び、前記第２の測定工程の少なくとも一方の工程において、
前記レンズの一つの測定点に前記光軸が通るように前記レンズを移動し、前記レンズ支持部の前記レンズ受部に前記圧力をかけた状態で前記レンズを載置して固定し、前記固定状態の前記レンズの姿勢を保持した状態で、前記レンズの前記レンズ受部の上方への移動及び前記レンズ支持部の下方への移動の少なくとも一方の移動を実施し、前記姿勢を保持した前記レンズの前記測定点におけるレンズ光学特性を測定する、
請求項１５から２０のいずれか一項に記載のレンズ光学特性測定方法。
【請求項２２】
請求項１５から２１のいずれか一項に記載の方法の各工程を、コンピュータに実行させるためのプログラム。
【請求項２３】
請求項２２記載のプログラムを記録したコンピュータ読取可能な記録媒体。
【発明の詳細な説明】
【技術分野】
【０００１】
本発明は、レンズ光学特性測定装置、レンズ光学特性測定方法、プログラム、及び、記録媒体に関する。
【背景技術】
【０００２】
眼鏡店では、レンズメータと通称される眼鏡レンズの屈折度数等の光学特性を測定するレンズ光学特性測定装置が使用されている（例えば、特許文献１）。眼鏡レンズの光学特性測定装置では、ノーズピース又は三本ピンに眼鏡レンズを、例えば、水平状態で載置し、測定光を照射してレンズの光学特性が測定される。
【先行技術文献】
【特許文献】
【０００３】
【特許文献１】特開２０１８−９９６７号公報
【発明の概要】
【発明が解決しようとする課題】
【０００４】
遠近両用レンズ等の累進レンズは、遠点、中間点、近点、前記各点の側方点など、視線方向に応じた参照基準点が設けられている。このため、遠点、近点等の中心点以外の点を測定しようとする場合、これらの点がノーズピースの中央に来るようにレンズをノーズピースに載置し、傾いたレンズがノーズピースから落ちないように手で支える必要があり、このため、手間がかかり、また手でレンズを支えるためにレンズがズレる恐れがあり、このため測定精度にも問題があった。
【０００５】
そこで、本発明は、眼鏡レンズをノーズピース等に載置した状態で、眼鏡レンズの複数点の光学特性を容易かつ高精度で測定可能なレンズ光学測定測定装置、及び、レンズ光学特性測定方法の提供を目的とする。
【課題を解決するための手段】
【０００６】
前記目的を達成するために、本発明のレンズ光学特性測定装置は、
操作入力部、光学系、レンズ支持部、レンズ保持部、レンズ押え部、レンズ位置移動部、測定制御部、測定演算部、及び、出力部を含み、
前記操作入力部は、測定内容を含む操作情報を前記測定制御部に入力可能であり、
前記光学系は、光照射部及び受光部を含み、
前記光照射部は、測定対象のレンズに光を照射し、
前記受光部は、前記光を照射された前記レンズから出射された測定光を受光し、
前記光照射部と前記受光部との間に光照射による光軸が形成され、
前記レンズは、眼鏡レンズであり、
前記レンズは、装用状態の眼球側のレンズ後面、及び、前記レンズ後面の反対側のレンズ前面を有し、
前記レンズは、加工前のレンズ、加工後のレンズ、又は加工後で眼鏡の枠に設置されたレンズであり、
前記レンズ支持部は、支持部本体、及び、レンズ受部を含み、
前記支持部本体の先端に前記レンズ受部が配置され、
前記光軸と垂直に交わる水平面における仮想円を仮想した場合、
前記光軸は、前記仮想円内を通り、
前記レンズ受部は、前記仮想円の円周上において、又は、前記仮想円の円周の複数点で、前記レンズの前記レンズ後面と当接して前記レンズを載置可能であり、
前記レンズ保持部は、前記レンズを保持し、
前記レンズ位置移動部は、前記レンズ保持部に連結して前記レンズの位置を、Ｘ方向、Ｙ方向、及び、Ｚ方向に移動可能であり、
前記Ｘ方向及び前記Ｙ方向は、同一面で互いに直交し、かつ、前記レンズの光軸方向と直交する方向であり、
Ｚ方向は、前記レンズの光軸方向と平行な方向であり、
前記測定制御部は、前記レンズ位置移動部による前記レンズの位置移動を制御可能であり、
前記測定演算部は、前記受光部で受光した光信号に基づきレンズ光学特性を演算可能であり、
前記出力部は、前記レンズ光学特性を出力可能であり、
前記レンズ保持部は、枠体、及び、レンズ保持部材を含み、
前記枠体の枠内に前記レンズ保持部材が配置され、
前記レンズ保持部材は、レンズ当接部を含み、
前記レンズ当接部は、前記眼鏡レンズの枠の縁部又はレンズの縁部に当接し、かつ前記縁部が摺動自在な状態で前記枠体の枠内に前記レンズを保持可能であり、
前記レンズ押え部は、前記レンズ位置移動部による前記レンズ受部側のＺ方向への移動、及び、前記レンズ押え部の前記レンズ受部側のＺ方向への移動の少なくとも一方の移動により、前記レンズ支持部の前記レンズ受部に載置された前記レンズを前記レンズ受部に向けて圧力をかけた状態で押えることが可能である、
装置である。
【０００７】
本発明のレンズ光学特性測定方法は、
第１の測定工程、及び、第２の測定工程を含み、
前記第１の測定工程は、
本発明のレンズ光学特性測定装置を用い、
前記レンズ位置移動部により、前記レンズの一つの測定点に前記光軸が通るように前記レンズを移動し、前記レンズ支持部の前記レンズ受部に前記圧力をかけた状態で前記レンズを載置して固定し、前記固定状態で、前記一つの測定点におけるレンズ光学特性を測定し、
前記第２の測定工程は、
本発明のレンズ光学特性測定装置を用い、
前記レンズ位置移動部により、前記レンズの他の測定点に前記光軸が通るように前記レンズを移動し、前記レンズ支持部の前記レンズ受部に前記圧力をかけた状態で前記レンズを載置して固定し、前記固定状態で、前記他の測定点におけるレンズ光学特性を測定する、方法である。
【発明の効果】
【０００８】
本発明によれば、眼鏡レンズをノーズピース等に載置した状態で、複数の測定点の光学特性を、容易に、かつ、高精度で測定可能である。
【図面の簡単な説明】
【０００９】
【図１】図１は、本発明の装置の構成の一例を示す図である。
【図２】図２は、本発明の装置の構成の一例を示す図である。
【図３】図３は、本発明の装置の構成の一例を示す図である。
【図４】図４は、本発明の装置の構成の一例を示す図である。
【図５】図５は、本発明の装置の構成の一例を示す図である。
【図６】図６は、本発明の装置の構成の一例を示す図である。
【図７】図７は、本発明の装置の構成の一例を示す図である。
【図８】図８は、本発明の装置の構成の一例を示す図である。
【図９】図９は、本発明の装置の構成の一例を示す図である。
【図１０】図１０は、本発明の装置の構成の一例を示す図である。
【図１１】図１１は、本発明の装置の構成の一例を示す図である。
【図１２】図１２は、本発明の装置の構成の一例を示す図である。
【図１３】図１３は、本発明の装置の構成の一例を示す図である。
【図１４】図１４は、本発明の光学特性測定の一例を示す図である。
【図１５】図１５は、本発明の装置の構成の一例を示す図である。
【図１６】図１６は、本発明におけるレンズ内座標の一例の説明図である。
【図１７】図１７は、本発明の分割測定の一例の説明図である。
【図１８】図１８は、本発明の分割測定の一例の説明図である。
【図１９】図１９は、磁気スイッチを用いたＺ位置検出部の一例の説明図である。
【図２０】図２０は、磁気スイッチを用いたＺ位置検出部の別の一例の説明図である。
【図２１】図２１は、本発明の装置の構成の一例を示す図である。
【図２２】図２２は、本発明の装置の構成の一例を示す図である。
【図２３】図２３は、本発明の装置の構成の一例を示す図である。
【図２４】図２４は、本発明の測定方法の一例を示す図である。
【図２５】図２５は、本発明の測定方法の一例を示す図である。
【図２６】図２６は、本発明の装置の構成の一例を示す図である。
【発明を実施するための形態】
【００１０】
つぎに、本発明について、例を挙げて説明する。ただし、本発明は、以下の説明により、なんら限定されない。
【００１１】
本発明において、レンズ光学特性の測定は、レンズの位置及び方向を連続的に変えながら測定してもよいし、レンズの位置及び方向を段階的に変えながら各位置及び各方向で測定してもよい。本発明において、前記レンズの各位置での測定は、レンズの各部の測定を含む。本発明において、前記レンズの位置は、レンズの傾き、及び、レンズの向きを含む。
【００１２】
本発明において、レンズ光学特性は特に制限されず、例えば、相対屈折率、絶対屈折率、アッベ数、プリズム屈折力、球面度数（Ｓ）、円柱度数（Ｃ）、乱視軸角度（Ａ）、光線透過率、紫外線透過率、ブルーライト透過率、表裏面形状、中心厚み等がある。
【００１３】
本発明において、前記眼鏡レンズは、加工前の玉レンズ、加工後のレンズ、フレームに装着したレンズのいずれであってもよい。
【００１４】
本発明において、レンズの「表面」は、例えば、曲面であってもよいし、平面であってもよい。また、本発明において、前記レンズ後面は、眼鏡レンズの裏面ともいう。
【００１５】
本発明において、アライメントマークは、レンズ内に刻印されたアライメントマークであってもよいし、レンズ内に刻印されたアライメントマークに対応する位置のレンズ表面に印刷されたアライメントマークであってもよい。
【００１６】
本発明において、前記レンズの測定点は、例えば、アイポイント、光学中心点、遠点、遠点側方点（左右）、中間点、中間側方点（左右）、近点、近点側方点（左右）等がある。なお、近点の場合、眼鏡装用時においてあまり眼球を動かさないため、近点側方点（左右）は測定しなくてもよい。また、本発明において、遠点、中間点、近点の各側方点の数は、特に制限されず、１点、２点、３点、４点、５点、６点以上等のように複数点であってもよい。
【００１７】
本発明の装置において、前記測定制御部による制御により、前記レンズ位置移動は、前記レンズの複数の測定点毎に、前記測定点に約前記光軸が通るように前記レンズを前記レンズ支持部の前記レンズ受部に載置し、前記レンズ押え部の前記圧力により、前記各測定点に応じて前記レンズが光学測定時の各姿勢をとり、前記各姿勢の状態で、前記光照射部が前記レンズに光を照射する、という態様であってもよい。
本発明において、「前記測定点に約前記光軸が通る」とは、前記測定点に前記光軸が通ることに加え、前記測定点ではなく、前記測定点の周囲に前記光軸が通る態様を含む意味である。
本発明において、前記レンズ支持部は、特に制限されず、例えば、レンズメータに使用されるノーズピース、三本のレンズ受けピンであってもよい。ノーズピースの先端部、レンズ受けピンの先端部が、本発明のレンズ受部である。
【００１８】
本発明の装置において、前記レンズ押え部は、前記レンズ保持部の前記枠体に設けられ、前記レンズ押え部は、前記レンズ前面の周辺部に対し前記圧力をかけた状態で前記レンズを押える、という態様であってもよい。
【００１９】
本発明の装置において、前記レンズ押え部は、前記レンズにおいて、前記レンズ前面の前記レンズ受部と対向する箇所に対し圧力をかけて押える、という態様であってもよい。
【００２０】
本発明の装置において、前記レンズ保持部は、さらに、付勢部材を含み、前記レンズ保持部材は、レンズ当接部及びアームを含み、前記レンズ当接部は、前記眼鏡レンズの枠の縁部又は前記レンズの縁部に当接し、前記アームの一端側に前記レンズ当接部が配置され、前記アームの他端側が、前記枠体に回動自在に配置されており、前記枠体に前記付勢部材が配置され、前記レンズ保持部材の前記レンズ当接部が、前記付勢部材により、前記枠体の枠内中央側に付勢されている、という態様であってもよい。
【００２１】
本発明の装置において、さらに、レンズ保持セット、及び、付勢部材を含み、前記レンズ保持セットは、二本の前記レンズ保持部材から構成され、前記枠体に前記付勢部材が配置され、前記レンズ保持セットにおいて、前記二本のレンズ保持部材の各前記レンズ当接部が、互いに対向した状態で、前記二つのレンズ保持部材が前記枠体の枠内に配置され、各前記レンズ当接部が、前記付勢部材により、前記型枠の枠内中央側に付勢されており、前記二本の各レンズ保持部材は、それぞれアームを含み、前記各アームの一端側に前記レンズ当接部が配置され、前記アームの他端側が、前記型枠に回動自在に配置されている、という態様であってもよい。本態様において、さらに、同期機構を含み、前記同期機構により、前記レンズ保持セットの二本の前記レンズ保持部材が、同期して動く、という態様であってもよい。
【００２２】
本発明の装置において、前記枠体は、矩形状枠体であり、前記矩形状枠体は、互いに対抗する一対の辺を二組有し、前記一つの一対の辺が前記装置の左右方向に対応し、前記他方の一対の辺が前記装置の前後方向に対応し、前記矩形状枠体が、前記左右方向を回転軸として回転可能に軸支され、前記矩形状枠体に対し、順方向又は逆方向のいずれかの回転方向に付勢されている、という態様であってもよい。
【００２３】
本発明の装置において、前記光照射部の上方に、前記レンズ支持部が配置され、前記レンズ支持部の前記レンズ受部に載置された前記レンズ後面に対し、前記光照射部から光が照射される、という態様であってもよい。
【００２４】
本発明の装置において、前記光照射部は、光源部を含み、前記光源部は、波長が異なる複数のＬＥＤ発光素子、基板、及び、拡散板を含み、前記ＬＥＤ発光素子は前記基板上に搭載され、前記拡散板は、前記ＬＥＤ発光素子の光出射方向に配置されている、という態様であってもよい。
【００２５】
本発明の前記光源部において、さらに、視標板を含み、前記視標板は、前記拡散板の光出射方向側に配置されている、という態様であってもよい。
【００２６】
本発明の装置において、さらに、レンズ後面Ｚ位置検出部を含み、前記レンズ後面位置検出部は、前記各測定点における前記レンズの前記Ｚ方向の位置を検出する、という態様であってもよい。一般に、レンズ光学特性の測定において、レンズ後面中心の高さによって、測定精度が異なる。このため、本発明の装置は、レンズの高さに相当するレンズ後面Ｚ位置検出部を含むことが好ましい。
【００２７】
本発明の測定方法において、前記第１の測定工程、及び、前記第２の測定工程の少なくとも一方の工程において、複数のＺ位置でレンズ光学特性を測定する、という態様であってもよい。本発明において、Ｚ位置とは、例えば、レンズ後面の高さ位置をいう。本態様において、複数のＺ位置でのレンズ光学特性測定は、同一の測定点において、複数のＺ位置での光学特性の測定であってもよいし、複数の測定点において各測定点毎にＺ位置を変えての光学特性の測定であってもよい。眼鏡レンズの光学特性の測定では、眼鏡レンズの度数の程度、遠点及び近点等の測定点に応じ、高さを変えて複数の高さで光学特性を測定した方が良い場合があり、本態様は、この場合に対応できる態様である。
【００２８】
本発明の装置において、前記レンズ後面Ｚ位置検出部は、接触センサー、及び、光学検出機構の少なくとも一方を含み、前記接触センサーは、前記レンズ後面の接触により前記レンズの表面位置を検出し、前記光学検出機構は、レーザ照射部及び受光部を含み、前記レーザ照射部は、レーザ光を前記レンズ後面に照射し、前記受光部部は、前記レーザ光が照射された前記レンズ後面からの散乱光を受光して前記レンズ後面Ｚ位置を検出する、という態様であってもよい。
【００２９】
本発明の装置において、前記接触センサーは、磁気スイッチとスイッチアームを含み、前記磁気スイッチは、磁気スイッチ本体及びスイッチ部を含み、前記スイッチアームの上に、前記磁気スイッチ及び前記支持部本体が配置され、前記磁気スイッチの配置は、前記磁気スイッチのスイッチ部が前記仮想円内において前レンズ後面に接触可能な状態での配置である、という態様であってもよい。
【００３０】
本発明の装置において、前記レンズ位置移動部は、前記測定制御部による制御により、前記レンズ保持部に保持されたレンズを、Ｘ軸方向、Ｙ軸方向、Ｚ軸方向の三方向に加え、Ｘθ方向、及び、Ｙθ方向の５方向に移動可能であってもよい。Ｘ軸方向及びＹ軸方向は、レンズの光軸方向と垂直な面で互いに直交する方向であり、Ｚ軸方向は、光軸方向である。Ｘθ方向は、Ｙ軸方向及びＺ軸方向が形成する面において、任意の位置のＸ軸を回転中心軸とする仮想円の円周方向であり、Ｙθ方向は、Ｘ軸方向及びＺ軸方向が形成する面において、任意の位置のＹ軸を回転中心軸とする仮想円の円周方向である。
【００３１】
前記態様において、前記レンズ位置移動部は、前記測定制御部による制御により、前記レンズ保持部に保持されたレンズを、Ｘ軸方向、Ｙ軸方向、Ｚ軸方向、Ｘθ方向、及び、Ｙθ方向の５方向に加え、さらに、Ｚθ方向にも移動可能であり、Ｚθ方向は、Ｘ軸方向及びＹ軸方向が形成する面において、任意の位置のＺ軸を回転中心軸とする仮想円の円周方向である。
【００３２】
本発明の装置において、前記操作入力部は、分割測定指示情報を含む操作情報を入力可能であり、前記分割測定指示情報は、前記レンズ内三次元座標に基づき前記レンズを各部に分割して光学特性を測定し、分割して測定されたレンズ各部の光学特性の全部又は一部を統合して前記レンズの全体又は一部の光学特性とするものであり、前記操作入力部により入力された操作情報に分割測定指示情報が含まれる場合、前記測定制御部は、前記分割測定指示情報を含む測定制御情報を生成し、前記レンズ位置移動部は、前記分割測定指示情報に基づき、前記レンズの分割された各部に、前記光照射部が光を照射できるように前記レンズを移動させ、前記光照射部は、前記分割測定指示情報に基づき、前記レンズの分割された各部に光を照射し、前記受光部は、前記分割測定指示情報に基づき、前記レンズの分割された各部から出射される測定光を受光して前記レンズの各部の分割測定情報を生成し、前記測定演算部は、前記分割測定情報に基づき、前記レンズの分割光学特性情報を生成し、かつ、前記各分割光学特性情報の全部又は一部を統合して前記レンズ全体又は一部分の光学特性情報を生成する、という態様であってもよい。本態様であれば、大型レンズであっても装置を大型化することなくレンズ全体の光学特性を測定可能である。
【００３３】
本発明の装置において、さらに、記憶部を含み、前記記憶部は、前記レンズ光学特性情報を記憶可能である、という態様であってもよい。
【００３４】
本発明の測定方法において、前記第１の測定工程及び前記第２の測定工程の少なくとも一方の工程において、前記レンズ支持部の前記レンズ受部に前記レンズを載置しない状態で、前記一つの測定点及び前記他の測定点の少なくとも一方の測定点におけるレンズ光学特性を測定する、という態様であってもよい。例えば、眼鏡レンズ全体の光学特性（度数、非点収差等）のマップ（分布）をとる場合、ノーズピース等に載置しないで測定する場合がある。客が眼鏡店に持参した眼鏡レンズにはマークがないため、遠近、中近及び近近等のレンズの使用や、遠点・近点等の位置を特定するために、ノーズピース等に載置しないで、測定する場合がある。
【００３５】
本発明の測定方法において、前記一つの測定点が、前記レンズの光学中心点であり、前記他の測定点が、前記レンズにおいて、遠点、中間点、近点、遠点側方点、中間点側方点、及び、近点側方点からなる群から選択された少なくとも一つの測定点である、という態様であってもよい。
【００３６】
本発明の測定方法において、レンズＺ位置検出工程を含み、前記レンズＺ位置検出工程は、前記各測定点における前記レンズのＺ位置を検出する工程であり、前記第１の測定工程、及び、前記第２の測定工程において、前記レンズ光学特性測定装置は、本発明のレンズ光学測定装置であり、前記第1の測定工程、及び、前記第２の測定工程において、前記レンズＺ位置検出工程を実施する、という態様であってもよい。
【００３７】
本発明の測定方法において、前記第１の測定工程、及び、前記第２の測定工程のいずれか一方の工程において、前記測定点にマークがある場合は、前記マークがある前記測定点に前記光軸が通るように、前記レンズを移動して前記レンズ受部に前記レンズを載置してレンズ光学特性を測定し、前記測定点にマークが無い場合は、前記レンズ支持部の前記レンズ受部よりも高い上方位置に前記レンズを配置し、前記レンズにおいて仮測定点を想定して、前記仮測定点に前記光軸が通るように、前記レンズを移動してレンズ光学特性を測定する、という態様であってよい。
【００３８】
本発明の方法において、前記第１の測定工程、及び、前記第２の測定工程の少なくとも一方の工程において、前記レンズの一つの測定点に前記光軸が通るように前記レンズを移動し、前記レンズ支持部の前記レンズ受部に前記圧力をかけた状態で前記レンズを載置して固定し、前記固定状態の前記レンズの姿勢を保持した状態で、前記レンズの前記レンズ受部の上方への移動及び前記レンズ支持部の下方への移動の少なくとも一方の移動を実施し、前記姿勢を保持した前記レンズの前記測定点におけるレンズ光学特性を測定する、という態様であってもよい。本態様によれば、例えば、前記レンズ支持部を光学特性の測定に邪魔にならない位置に移動して光学特性を測定できる利点がある。本態様において、前記レンズを前記レンズ受部に移動させる手段は、特に制限されず、前記レンズ位置移動部による移動、及び、前記レンズ受部を含む前記レンズ支持部の下方への移動のいずれか又は双方であってもよい。
【００３９】
本発明のプログラムは、コンピュータに、本発明の測定方法の各工程を実行させるためのプログラムである。なお、本発明の測定方法において、「工程」は「手順」と読み換えることができる。
本発明の記録媒体は、本発明のプログラムを記録したコンピュータ読み取り可能な記録媒体である。
【００４０】
次に、本発明の実施形態について図を用いて説明する。本発明は、以下の実施形態には限定されない。以下の各図において、同一部分には、同一符号を付している。また、各実施形態の説明は、特に言及がない限り、互いの説明を援用でき、各実施形態の構成は、特に言及がない限り、組合せ可能である。
【００４１】
［実施形態１］
図１に、本実施形態のレンズ光学特性測定装置１の各部の構成を示す。図示のように、本装置１は、操作入力部１１、測定制御部１２、測定演算部１３、記憶部１４、出力部１５、レンズ位置移動部１６、光照射部１７、レンズ保持部１８、及び、受光部１９、を備える。操作入力部１１、測定制御部１２、測定演算部１３、及び、出力部１５は、例えば、ＣＰＵ又はＧＰＵ等の中央演算処理装置内で構成されている。レンズ保持部１８は、測定対象のレンズを保持する。操作入力部１１は、タッチパネル、マウス又はキーボード等の入力装置（図示せず）と接続されており、測定内容を含む操作情報を測定制御部１２に入力する。測定制御部１２は、入力された操作情報に基づき測定制御情報を生成し、光照射部１７は、測定制御情報に基づいて光（図１において上側の矢印）を、レンズ保持部１８に保持されているレンズ（図示せず）に照射する。受光部１９は、前記光を照射されたレンズから出射される測定光（図１において下側の矢印）を受光して測定情報を生成し、測定演算部１３は、測定情報に基づきレンズの光学特性情報を生成する。レンズの光学特性は、記憶部１４に記憶され、出力部１５により、前光学特性情報を出力する。出力部は、ディスプレー及びプリンター等の出力装置（図示せず）に接続され、光学特性情報は、ディスプレーに表示されたり、プリンターによって印刷されたりする。
【００４２】
記憶部１４は、例えば、メモリである。メモリは、例えば、メインメモリ（主記憶装置）が挙げられる。メインメモリは、例えば、ＲＡＭ（ランダムアクセスメモリ）である。また、メモリは、例えば、ＲＯＭ（読み出し専用メモリ）であってもよい。記憶装置は、例えば、記憶媒体と、記憶媒体に読み書きするドライブとの組合せであってもよい。記憶媒体は、特に制限されず、例えば、内蔵型でも外付け型でもよく、ＨＤ（ハードディスク）、ＣＤ−ＲＯＭ、ＣＤ−Ｒ、ＣＤ−ＲＷ、ＭＯ、ＤＶＤ、フラッシュメモリー、メモリーカード等が挙げられる。記憶装置は、例えば、記憶媒体とドライブとが一体化されたハードディスクドライブ（ＨＤＤ）であってもよい。なお、本発明において、記憶部１４は、任意の構成要素であり、必須ではない。
【００４３】
本装置１において、さらに通信デバイス（図示せず）を含み、通信デバイスにより、外部の通信回線網（ネットワーク）を介して、外部装置と通信してもよい。通信回線網としては、例えば、インターネット回線、ＷＷＷ（Ｗｏｒｌｄ  Ｗｉｄｅ  Ｗｅｂ）、電話回線、ＬＡＮ（Ｌｏｃａｌ  Ａｒｅａ  Ｎｅｔｗｏｒｋ）、ＤＴＮ（Ｄｅｌａｙ  Ｔｏｌｅｒａｎｔ  Ｎｅｔｗｏｒｋｉｎｇ）等がある。通信デバイスによる通信は、有線でも無線でもよい。無線通信としては、ＷｉＦｉ（Ｗｉｒｅｌｅｓｓ  Ｆｉｄｅｌｉｔｙ）、Ｂｌｕｅｔｏｏｔｈ（登録商標）、等が挙げられる。無線通信としては、各装置が直接通信する形態（Ａｄ  Ｈｏｃ通信）、アクセスポイントを介した間接通信のいずれであってもよ
い。外部装置としては、例えば、サーバ、データベース、端末（パーソナルコンピュータ、タブレット、スマートフォン、携帯電話等）、プリンター、ディスプレー等がある。
【００４４】
レンズ位置移動部１６は、レンズ保持部１８に連結し、レンズ位置移動部１６により、レンズ保持部１８に保持されているレンズを、Ｘ軸方向、Ｙ軸方向、Ｚ軸方向、Ｘθ方向、Ｙθ方向、及び、Ｚθ方向の６方向に移動可能である。
【００４５】
Ｘ軸方向及びＹ軸方向は、鉛直方向又は光軸方向と垂直な面で互いに直交する方向である。Ｚ軸方向は、鉛直方向又は光軸方向である。Ｘθ方向は、Ｙ軸方向及びＺ軸方向が形成する面において、任意の位置のＸ軸を回転中心軸とする仮想円の円周方向である。Ｙθ方向は、Ｘ軸方向及びＺ軸方向が形成する面において、任意の位置のＹ軸を回転中心軸とする仮想円の円周方向である。Ｚθ方向は、Ｘ軸方向及びＹ軸方向が形成する面において、任意の位置のＺ軸を回転中心軸とする仮想円の円周方向である。
【００４６】
本発明では、６方向のレンズの移動を組み合わせることにより、レンズの位置及びレンズの向きを変えることができ、その結果、様々な位置及び方向のレンズの光学特性を測定することが可能である。
【００４７】
［実施形態２］
次に、図２から図８に基づき、本発明のレンズ光学特性測定装置の構成の一例を説明する。
【００４８】
図２に、本実施形態のレンズ光学特性測定装置の斜視図を示す。図示のように、本装置は、ディスプレー兼タッチパネル２、スタートスイッチ４、ケース本体５、プリンター６、レンズ保持部１８、Ｘ軸スライダー１６ｘ１、アームカバー１６ｘθ１を備える。３は、レンズ保持部１８に保持された眼鏡である。レンズ保持部１８は、鼻当て１８ａを含み、眼鏡３が保持されると眼鏡３の鼻当て部が、レンズ保持部１８の鼻当て１８ａに当接して眼鏡３の鼻当て部が固定される。図示していないが、本装置は、さらに、操作入力部１１、測定制御部１２、測定演算部１３、記憶部１４、出力部１５、レンズ位置移動部１６、光照射部１７、及び、受光部１９を含む。図３は、本装置の側面の断面図であり、光照射部１７が示されている。操作入力部１１及び出力部１５は、ディスプレー兼タッチパネル２に接続されている。また、出力部１５は、プリンター６とも接続している。アームカバー１６ｘθ１は、レンズ位置移動部１６の一部を構成するＸθ方向移動のためのアーム等（後述）が格納されている。Ｘ軸スライダー１６ｘ１は、レンズ位置移動部１６の一部を構成し、レンズ保持部１８をＸ軸方向に移動させる。スタートスイッチ４により、本装置の光学特性の測定が開始できる。ケース本体５内には、本装置を構成する各種機構等が配置されている。
【００４９】
本装置において、Ｘ軸方向は、装置正面（ディスプレー兼タッチパネル２が位置する面）において、左右方向であり、Ｙ軸方向は、装置の前後方向であり、Ｚ軸方向は、装置の高さ方向である。また、本装置において、Ｘθ方向は、装置側面において、レンズ下方に中心点を有する仮想円の円周方向（装置正面の前後方向に回転する方向、Ｘ軸を回転中心軸とする円周方向）であり、Ｙθ方向は、装置正面において、レンズ下方に中心点を有する仮想円の円周方向（装置正面の左右方向に回転する方向、Ｙ軸を回転中心軸とする円周方向）であり、Ｚθ方向は、装置平面において、レンズの装置後方の外側に中心点を有する仮想円の円周方向（装置平面の円周方向、Ｚ軸を回転中心軸とする円周方向）である。
【００５０】
図４に、レンズ位置移動部１６のＸ軸スライダー１６ｘ１を示す。Ｘ軸スライダー１６ｘ１は、レンズ保持部１８をＸ軸方向に移動させる機構であり、Ｘ軸ギヤ１６ｘ２、Ｘ軸モータ１６ｘ３、及び、Ｘ軸ラック１６ｘ４を備える。Ｘ軸ラック１６ｘ４は、レンズ
保持部１８と連結しており、かつ、ギヤ部が形成され、このギヤ部がＸ軸ギヤ１６ｘ２とかみ合っている。Ｘ軸ギヤ１６ｘ２は、Ｘ軸モータ１６ｘ３のギヤともかみ合っている。Ｘ軸モータ１６ｘ３が回転することにより、Ｘ軸ギヤ１６ｘ２を介して、Ｘ軸ラック１６ｘ４に回転駆動力が伝達し、この回転駆動力により、Ｘ軸ラック１６ｘ４が、Ｘ軸方向に移動し、その結果、Ｘ軸ラック１６ｘ４に連結したレンズ保持部１８がＸ軸方向に移動することになる。Ｘ軸モータ１６ｘ３は、測定制御部１２の測定制御情報に基づき制御され、回転方向によりＸ軸の移動方向が制御でき、回転数により、Ｘ軸方向の移動距離が制御できる。また、Ｘ軸モータ１６ｘ３がステッピングモータの場合、ステップ数を制御することで、Ｘ軸方向の移動距離が制御できる。
【００５１】
なお、図４に示すように、レンズ保持部１８には、二本のワイヤー１８ｂが、眼鏡３の左右の各レンズを支えるように張り渡されている。
【００５２】
図５に、レンズ位置移動部１６のＹ軸スライダーを示す。Ｙ軸スライダーは、レンズ保持部１８をＹ軸方向に移動させる機構であり、Ｙ軸モータ１６ｙ１、及び、Ｙ軸ラック１６ｙ２を備える。Ｙ軸ラック１６ｙ２は、レンズ保持部１８と連結しており、かつ、ギヤ部が形成され、このギヤ部がＹ軸モータ１６ｙ１のギヤと直接かみ合っている。Ｙ軸モータ１６ｙ１が回転することにより、Ｙ軸ラック１６ｙ２に回転駆動力が伝達し、この回転駆動力により、Ｙ軸ラック１６ｙ２が、Ｙ軸方向に移動し、その結果、Ｙ軸ラック１６ｙ２に連結したレンズ保持部１８がＹ軸方向に移動することになる。Ｙ軸モータ１６ｙ１は、測定制御部１２の測定制御情報に基づき制御され、回転方向によりＹ軸の移動方向が制御でき、回転数により、Ｙ軸方向の移動距離が制御できる。また、Ｙ軸モータ１６ｙ１がステッピングモータの場合、ステップ数を制御することで、Ｙ軸方向の移動距離が制御できる。
【００５３】
図６に、レンズ位置移動部１６のＺ軸スライダーを示す。Ｚ軸スライダーは、レンズ保持部１８をＺ軸方向に移動させる機構であり、Ｚ軸モータ１６ｚ１、Ｚ軸ガイドピン１６ｚ２、及び、Ｚ軸スクリュー１６ｚ３を備える。Ｚ軸スクリュー１６ｚ３は、レンズ保持部１８と連結している。Ｚ軸スクリュー１６ｚ３は、凹凸のねじ溝構造を持つ。Ｚ軸モータ１６ｚ１の回転軸は、Ｚ軸スクリュー１６ｚ３と連結しており、Ｚ軸モータ１６ｚ１が回転するとＺ軸スクリュー１６ｚ３も回転し、ねじ溝構造により、ナットがＺ軸方向に移動し、その結果、レンズ保持部１８もＺ軸方向に移動する。Ｚ軸ガイドピン１６ｚ２は、レンズ保持部１８のＺ軸方向の移動がぶれないようにガイドするためのものである。Ｚ軸モータ１６ｚ１は、測定制御部１２の測定制御情報に基づき制御され、回転方向によりＺ軸の移動方向が制御でき、回転数により、Ｚ軸方向の移動距離が制御できる。また、Ｚ軸モータ１６ｚ１がステッピングモータの場合、ステップ数を制御することで、Ｚ軸方向の移動距離が制御できる。
【００５４】
図７に、レンズ位置移動部１６のＸθ方向移動機構を示す。Ｘθ方向移動機構は、一対のアーム１６ｘθ２、アーム１６ｘθ２の上部に形成されたＸθラック（ギヤ部）１６ｘθ４、２つのＸθギヤ１６ｘθ３、及び、Ｘθモータ（図示せず）から構成されている。アーム１６ｘθ２は、上方に張り出した円弧形状であり、レンズ保持部１８に連結している。Ｘθラック（ギヤ部）１６ｘθ４は、一方のＸθギヤ１６ｘθ３（図７において上側のギヤ）とかみ合っており、一方のＸθギヤ１６ｘθ３は他方のＸθギヤ１６ｘθ３とかみ合っており、他方のＸθギヤ１６ｘθ３は、Ｘθモータの回転軸に装着されたギア（図示せず）とかみ合っている。Ｘθモータが回転することにより、２つのＸθギヤ１６ｘθ３及びＸθラック１６ｘθ４を介して、一対のアーム１６ｘθ２に回転駆動力が伝達し、この回転駆動力により、一対のアーム１６ｘθ２が、Ｘθ方向に移動し、その結果、一対のアーム１６ｘθ２に連結したレンズ保持部１８がＸθ方向に移動することになる。Ｘθモータは、測定制御部１２の測定制御情報に基づき制御され、回転方向によりＸθ方向の移動方向が制御でき、回転数により、Ｘθ方向の移動距離が制御できる。また、Ｘθモータがステッピングモータの場合、ステップ数を制御することで、Ｘθ方向の移動距離が制御できる。
【００５５】
図８に、レンズ位置移動部１６のＹθ方向移動機構を示す。Ｙθ方向移動機構は、Ｙθアーム１６ｙθ１、Ｙθギヤ１６ｙθ２、Ｙθモータ１６ｙθ３、及び、Ｙθラック１６ｙθ４から構成されている。Ｙθアーム１６ｙθ１の一端（図８において下方端）及びＹθラック１６ｙθ４の一端（図８において下方端）は連結し、両者は回転中心を同一として装置に回動自在に装着されている。Ｙθアーム１６ｙθ１の他端（図８において上方端）は、レンズ保持部１８と連結している。Ｙθラック１６ｙθ４のギヤ部は、Ｙθギヤ１６ｙθ２とかみ合っており、Ｙθギヤ１６ｙθ２は、Ｙθモータ１６ｙθ３の回転軸に装着されたギヤとかみ合っている。Ｙθモータ１６ｙθ１が回転することにより、Ｙθギヤ１６ｙθ２及びＹθラック１６ｙθ４を介して、Ｙθアーム１６ｙθ１に回転駆動力が伝達し、この回転駆動力により、Ｙθアーム１６ｙθ１が、Ｙθ方向に移動し、その結果、Ｙθアーム１６ｙθ１に連結したレンズ保持部１８がＹθ方向に移動することになる。Ｙθモータ１６ｙθ３は、測定制御部１２の測定制御情報に基づき制御され、回転方向によりＹθ方向の移動方向が制御でき、回転数により、Ｙθ方向の移動距離が制御できる。また、Ｙθモータ１６ｙθ３がステッピングモータの場合、ステップ数を制御することで、Ｙθ方向の移動距離が制御できる。
【００５６】
本装置のＸ軸方向等の６方向の移動機構において、例えば、センサー（例えば、フォトインタラプター）により原点位置を検出し、ステッピングモータの累積ステップ数をリセットすることで、移動の際の繰り返しの位置精度を確保することができる。又は、エンコーダ付きステッピングモータを用いれば、モータで原点位置制御が可能である。
【００５７】
図９に、本装置の光学系の構成を示す。本装置の光学系は、両側テレセントリック光学系であり、光照射部１７及び受光部１９から構成される。本装置において、光照射部１７は、レンズ保持部１８の下方に配置され、受光部１９は、レンズ保持部１８の上方に配置されている。光照射部１７は、複数のＬＥＤ（発光ダイオード）を搭載したＬＥＤ基板１７ａ、拡散板１７ｂ、及び、視標シート１７ｃから構成されており、ＬＥＤ基板１７ａの上方に拡散板１７ｂが配置され、拡散板１７ｂの上面に視標シート１７ｃが配置されている。受光部１９は、コリメートレンズ１９ａ、光学ミラー１９ｂ、及び、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）１９ｃから構成されている。図９において、一点鎖線は、光軸を示す。図９に示すように、ＬＥＤ基板１７ａのＬＥＤから出射された光（直線光）は、拡散板１７ｂにより拡散され平行光となってレンズＬｅに照射され、レンズＬｅの測定される光学特性に応じた測定光が出射される。レンズＬｅから出射した測定光は、コリメートレンズ１９ａを通り、光学ミラー１９ｂで反射されて、結像レンズ１９ｄで平行光にされて、ＣＭＯＳ１９ｃに入光し、ＣＭＯＳ１９ｃで測定光の光信号が電気信号に変換される。視標シート１７ｃは、例えば、周期的な市松模様と色の濃淡を重畳（例えば、ＳＩＮカーブ）したものであり、レンズ有無のＣＭＯＳ１９ｃ上の視標位置ずれにより、レンズの光学特性を測定するためのものである。
【００５８】
本発明において、図９の光学系は例示であり、本発明を制限又は限定しない。本発明において、光照射部１７の光源は、ＬＥＤでもよいし、通常のランプでもよい。また、光源は、波長の異なる複数の光源であってもよい。本発明において、受光部１９の受光素子は、ＣＭＯＳに限定されず、他の受光素子であってよい。
【００５９】
［実施形態３］
図１０に、前記レンズ後面Ｚ位置検出部の光学検出機構の一例を示す。図１０に示すように、本実施形態の光学検出機構は、レーザ照射部（レーザーポインター）７が、レンズ保持部１８（図１０では図示せず）の斜め下方に配置され、受光部１９１は、レンズ保持部１８の斜め下方におけるレーザ照射部７と反対側に配置されている。図１０に示す光学検出機構では、レーザ照射部７から、レンズ後面に斜め方向からレーザ光が照射され、レンズ後面で反射されたレーザ光が、ピンホール１９１ｅを介して結像レンズ１９１ｄに入光し、結像レンズ１９１ｄで平行光にされて、ＣＭＯＳ１９１ｃに入光する。レンズＬｅはレンズ保持部１８に連結したレンズ位置移動部１６によりＹ軸方向（前後方向）及びＺ軸方向（高さ方向）に移動することができる。そして、レーザ照射部７から、レンズＬｅの測定点にレーザ照射し、レンズＬｅの反射光及び散乱光を測定することで、レンズＬｅの後面の各測定点のＺ方向の位置（レンズ後面の高さ位置）を検出することができる。また、図１０では、レンズＬｅの後面の各測定点のＺ方向の位置を検出する例を示したが、レンズＬｅの前面の各測定点のＺ位置を検出するためには、例えば、図１０の光学検出機構において、レーザ照射部７をレンズ保持部１８の斜め上方に配置し、レンズＬｅの前面にレーザ光を照射してレンズＬｅの前面からの散乱光を検出すればよい。この場合、受光部及びＣＭＯＳについては、例えば、図９に示したものを用いてもよい。
【００６０】
［実施形態４］
図１１に、レンズ保持部１８の例を示す。図１１（Ａ）は、レンズ保持部１８のレンズ押え機構を示す図であり、図１１（Ｂ）は、レンズ保持部１８の全体の斜視図である。図１１（Ａ）に示すレンズ押え機構では、レンズ当接部１８ｍにレンズ押え部１８ｄが配置され、前記レンズ押え部１８ｄは、レンズ当接部１８ｍ内に配置されたバネ１８ｇにより、同図において下方向に付勢されている。図１１（Ａ）に示すように、レンズＬｅのレンズ前面の周辺部にレンズ押え部１８ｄが当接し、同図において下方向に圧力をかけた状態でレンズ当接部１８ｍにレンズＬｅが保持されている。図１１（Ｂ）に示すレンズ保持部１８では、型枠（枠体）１８ｈの枠内に、レンズ当接部１８ｍを有する二つのレンズ保持部材が、レンズ当接部１８ｍが互いに対向する状態で配置されている。レンズ保持部材の両端にはスライダー１８ｅが連結しており、スライダー１８ｅは、型枠１８ｈ内に配置されたアーム（図示せず）と連結している。型枠１８ｈ内にはバネ（図示せず）が配置され、バネによりアームを介してスライダー１８ｅが型枠１８ｈの中心に向かって付勢されている。また、図１１（Ｂ）に示すレンズ保持部１８は、同図（Ａ）に示すレンズ押え機構が組み込まれている。図１１（Ｂ）のレンズ保持部１８では、二つのレンズ当接部１８ｍにおいて、レンズの縁部が摺動可能な状態で当接し、かつ型枠１８ｈの枠内中心にレンズ中心が位置するように保持される。後述するように、図１１（Ａ）及び（Ｂ）のレンズ保持部１８に保持されたレンズは、レンズの縁部がレンズ当接部と摺動可能であり、かつレンズ押え部１８ｄによりレンズ後面方向に付勢されているため、レンズの各測定点が光軸をとおるように、レンズが三本ピンやノーズピース等のレンズ支持部のレンズ受部に配置されると、レンズ位置移動部１６によるＺ方向のレンズ受部側の移動により、レンズ受部に圧力をかけた状態で載置されることなり、レンズの各測定点の位置に応じてレンズが各姿勢をとる。
【００６１】
［実施形態５］
図１２に、レンズ保持部１８の構成の一例を示す。図１２（Ａ）は、レンズ保持部１８の平面図であり、同図（Ｂ）は、レンズ受けピンにレンズを載置した状態を示す図である。図１２（Ａ）に示すように、本実施形態のレンズ保持部１８は、加工前の玉レンズ、及び、レンズが枠（フレーム）に装着された眼鏡の双方を保持可能である。図１２に示すように、レンズ保持部１８は、略矩形の型枠１８ｈ、４本のアーム１８ｆ、２つのスライダー１８ｅ、４つのバネ１８ｇ、８つのレンズ押え部１８ｄ、２つの同期シャフト１８ｉ、鼻当て１８ａ、２本のワイヤー１８ｂから構成されている。図１２（Ａ）に示すように、型枠１８ｈは、左右方向（同図の左右方向）及び前後方向（同図の上下方向）を有し、型枠１８ｈ内において、４本のアーム１８ｆが、型枠１８ｈ内の中心点を基準点として左右対称かつ前後対称の状態で配置されている。４本のアーム１８ｆのうち２本の一対のアーム１８ｆの各一端が型枠１８ｈの左側端部に回動自在に配置され、４本のアーム１８ｆのうち他の２本の一対のアーム１８ｆの各一端が型枠１８ｈの右側端部に回動自在に配置されている。型枠１８ｈの各左右端部に配置された一対のアーム１８ｆの一端には、それぞれギヤ部１８ｎが形成されて、相互にかみ合っている。４本のアーム１８ｆの各他端には、スライダー１８ｅが前後方向に移動（スライド）可能な状態で連結している。スライダー１８ｅの型枠中心方向の端部にはレンズＬｅと当接するレンズ当接部１８ｍが形成されている。また、スライダー１８ｅの型枠１８ｈ左右方向の端部には、円筒状の摺動部１８ｋが形成され、一対のアーム１８ｆが同期するための同期シャフト１８ｉの両端が摺動部１８ｋに摺動可能なように挿入されている。また、型枠１８ｈの４角のそれぞれにバネ１８ｇが配置されて４つの各摺動部１８ｋに付勢を付けた状態で当接している。型枠１８ｈの前後方向（同図の上下方向）において二本のワイヤー１８ｂが張り渡されており、丸レンズＬｅを保持する場合は下方から支持可能となっている。型枠１８ｈの左右及び前後（同図において上下）の４か所に、レンズ押え部１８ｄが配置されており、丸レンズＬｅ又は眼鏡の枠を上方向（レンズ前面）から押さることが可能である。
【００６２】
図１２のレンズ保持部１８において、４本のアーム１８ｆと２つのスライダー１８ｅは、一対のアーム１８ｆ毎に形成されたギヤ部、及び、同期シャフト１８ｉにより、左右対称かつ前後対称に同期して動き、４つのバネ１８ｇにより、２つの各スライダー１８ｅが付勢されているため、２つの各スライダー１８eのレンズ当接部は、型枠１８ｈの中心点に向かって押力又はスプリング力がかかるようになっている。このため、丸レンズＬｅは、自動的に型枠１８ｈの中心点と丸レンズＬｅの中心点が約同軸となる状態で（センタリング）、レンズ保持部１８に保持される。
【００６３】
図１２（Ａ）に示すように、レンズ押え部１８ｄは、型枠１８ｈに配置され、その形状は左右独立しており、各々の先端部で図示しないバネ力によりレンズを押えることが可能である。また、型枠１８ｈ内にはバネ１８ｇが配置され、バネ１８ｇの付勢により、レンズ押え部１８ｄは、レンズ前後面周辺部を加圧状態で押えることができる。図１２（Ｂ）は、レンズがレンズ受けピン３１に載置された状態を示す。図１２（Ｂ）において、一点鎖線は光軸を示す。図１２（Ｂ）に示すように、レンズ保持部１８に保持された眼鏡レンズｌｅは、レンズＬｅの縁部がレンズ当接部１８ｍと摺動可能であり、かつレンズ押え部１８ｄによりレンズ後面方向に付勢されているため、レンズＬｅの各測定点が光軸をとおるように、レンズＬｅがレンズ受けピン３１に載置されると、レンズ位置移動部１６によるＺ方向のレンズ受部側の移動により、レンズ受けピン３１に圧力をかけた状態で載置されることなり、レンズＬｅの各測定点の位置に応じてレンズＬｅが各姿勢をとる。
【００６４】
［実施形態６］
図１３に、レンズ押え部１８ｄの一例を示す。図１１及び図１２に示すレンズ押え部１８ｄは、レンズ保持部１８の型枠（枠体）に配置されたものであるが、本実施形態のレンズ押え部１８ｄは、レンズ光学特性測定装置の本体に設けられるものである。図１３（Ａ）に示すように、レンズ押え部１８ｄには、アーム１８ｆが連結しており、アーム１８ｆは、ガイドレール２９に回動自在に連結している。ガイドレール２９は、レンズ光学特性測定装置の本体の取り付けられており、アーム１８ｆは、昇降機構（図示せず）により、ガイドレール２９に沿って上下方向に昇降可能となっている。図１３（Ａ）に示すように、レンズ押え部１８ｄは、三本のレンズ押えピンを備え、ガイドレール２９に沿って下降し、図１３（Ｂ）に示すように、三本のレンズ受けピン３１に載置されたレンズＬｅを、面直状態で押し込んで三本のレンズ押えピンで圧力をかけて押える。レンズ当接部はレンズ縁部が摺動可能な状態で当接しているため、レンズ押え部１８ｄの下降による圧力により、レンズ受けピン３１に載置されたレンズＬｅは、レンズ受けピン３１に圧力をかけた状態で載置されることなり、レンズＬｅの各測定点の位置に応じてレンズＬｅが各姿勢をとる。
【００６５】
［実施形態７］
図１４に、本発明におけるレンズの複数測定点での光学特性の測定の一例を示す。図１４（Ａ）は、レンズの遠点（△）に光軸（上下の二点鎖線）が通る状態で、レンズＬｅをレンズ受けピン３１に載置した状態を示す。同図に示すように、レンズＬｅの遠点を光軸が通る場合は、レンズＬｅは面直状態（同図において左右方向の二点鎖線が水平方向）をとり、この状態で遠点の光学特性が測定される。図１４（Ｂ）は、レンズＬｅの遠点以外の測定点（例えば、近点）に光軸が通る状態でレンズＬｅをレンズ受けピン３１に載置した状態を示す。同図に示すように、レンズＬｅはレンズ保持部１８において、レンズ当接部と摺動可能な状態でレンズ縁部が当接し、かつ、レンズ位置移動部１６のＺ方向におけるレンズ受けピン３１側の移動により、圧力がかかった状態でレンズ受けピン３１に載置される。その結果、同図に示すように、レンズＬｅは、水平方向から、同図において左下方に傾いた姿勢でレンズ受けピン３１に載置され、この姿勢で、遠点以外の測定点（例えば、近点）の光学特性が測定される。図１４（Ｃ）に、眼鏡レンズの測定点の例を示す。同図に示すように、眼鏡レンズは、眼鏡の装用状態に応じ、視線の上下方向及び視線の左右方向を有す。眼鏡レンズが累進レンズ（遠近両用）の場合、光学中心点の上側に遠点があり、光学中心の下側に中間点、及び、近点がある。また、遠点、中間点、及び近点のそれぞれの点の左右方向に各側方点がある。遠点の場合は、視線を大きく左右方向にふるため、遠点の側方点は、遠点から離れた箇所まで測定することが好ましい（例えば、眼球の回旋角±２５度程度）。近点では、視線を左右に振る幅が小さいため、近点の側方点は、近点の近い箇所を測定すればよい。中間点の側方点は、近点の側方点より広めとなる。
【００６６】
［実施形態８］
図１５に、光照射部１７にレンズ支持部を配置し、磁気スイッチによりレンズ後面のＺ位置の検出する対応を示す。図１５（Ａ）は、光照射部１７の上にレンズ支持部として三本のレンズ受けピン３１を配置した状態を示す斜視図であり、図１５（Ｂ）は、同図（Ａ）を側面から見た図であり、図１５（Ｃ）は、レンズ受けピン３１と磁気スイッチ２１の位置関係を示す図である。まず、図１５（Ａ）に示すように、磁気スイッチ２１は、スイッチアーム２２と連結しており、スイッチアームは矢印方向に進退可能となっており、レンズの光学特性を測定する場合は、スイッチアーム２２が後退して磁気スイッチ２１は、光照射部１７の後方に位置している。図１５（Ｂ）及び（Ｃ）に示すように、レンズの光学特性測定の前において、レンズ受けピン３１に、スイッチアームが前進し、磁気スイッチ２１が、三本のレンズ受けピン３１の間に形成される円周の中心部、かつ、レンズＬｅの下方に位置させる。この状態で、レンズの下方より磁気スイッチ２１がレンズＬｅの後面と接触し、レンズＬｅのＺ方向位置（高さ）が検出される。磁気スイッチ２１とスイッチアームの進退等の詳細は、後述する。図１５（Ｄ）は、レンズ支持部として、三本のレンズ受けピン３１に代えて、ノーズピース４１を光照射部１７の上に配置した状態を示す。図１５（Ｄ）に示すように、光照射部１７の上に円筒状の保持部４２が配置され、ノーズピース４１は保持部４２に嵌入した状態で光照射部１７の上に配置されている。ノーズピース４１の先端の円周開口部（レンズ受部）には、レンズＬｅが、光軸（同図において上下の二点鎖線）が透過する状態で配置されている。図１５（Ｅ）にスイッチアーム２２上にノーズピース４１と磁気スイッチ２１を搭載した状態を示す。図１５（Ｅ）では、磁気スイッチ２１のスイッチ部が、ノーズピース４１の開口部から突出しており、スイッチ部がレンズ後面と接触可能となっている。バックライトモジュール（光源部）にノーズピースを取り付ける場合、ノーズピースが光路を遮らないように、ノーズピースの開口部の口径を大きくとる必要があった。これに対し、図１５（Ｅ）に示すように、スイッチアーム上にノーズピース４１を取り付ければ、ノーズピース４１上にレンズを載置してレンズ後面を面直状態とし、レンズの面直状態を保持した状態で、スイッチアームを動かしてノーズピース４１を光路から退避させれば、面直状態でレンズの光学特性を測定でき、しかもノーズピース４１の口径を大きくする必要がない。図１５（Ｅ）では、ノーズピース４１を一例として示したが、三本のレンズ受けピン３１も同様にスイッチアーム上に配置できる。
【００６７】
［実施形態９］
図１６に基づき、レンズ内座標の規定について説明する。図１６に示すように、レンズＬｅが累進レンズの場合には、ＪＩＳ規格（ＪＩＳ  Ｔ  ７３１５（ＩＳＯ  ８９８０−２：２００４））に基づき、中心点から１７ｍｍ離れた点に二つのアライメントマークがレーザにより刻印されており、かつ、レンズ表面に印刷されている。レンズ内座標は、ＬＸ軸方向、及び、ＬＹ軸方向からなる二次元座標であり、ＬＸ軸方向は、前記レンズ内の二つのアアライメントマークが重なる軸方向である。ＬＹ軸方向は、前記レンズの面方向でＬＸ軸方向と直交する軸方向である。眼鏡レンズの加工において、印刷されたアライメントマークを指標にＬＸ軸を規定するが、レンズが曲面形状であるため、印刷の際にずれた位置にアライメントマークが印刷されることが多い。このため、従来では、正確なレンズ内座標の規定は困難であった。これに対し、本発明の装置では、レンズに光を照射し、出射する測定光から、レーザーで刻印された正確な二つのアライメントマーク位置を検出し、正確な二つのアライメントマーク位置から、レンズ内のＬＸ軸方向、及び、ＬＹ軸方向からなるレンズ内座標を規定する。このため、本発明では、正確なレンズ内座標を規定することが可能である。そして、正確なレンズ内座標に基づき、レンズの各部の位置を特定して光学特性を紐づければ、レンズ各部の光学特性を正確に規定できる。なお、印刷されたアライメントマークであっても、正確な位置に印刷されてれば、印刷されたアライメントマークを用いてレンズ内座標を規定してもよい。
【００６８】
［実施形態１０］
図１７及び図１８に基づき、分割測定の一例を説明する。まず、図１７（Ａ）に示すように、測定エリア１から３は、光照射部１７の光の測定エリアの大きさ（面積）を示すが、測定対象のレンズＬｅの大きさは、測定エリア１から３よりも大きい。この場合、図１７（Ａ）に示すように、レンズＬｅをＸθ方向又はＹ方向に移動させながら、測定エリア１、測定エリア２、及び、測定エリア３と三回に分けて測定する。そして、図１７（Ｂ）に示すように、測定エリア１から３の測定結果を統合（合成）して、合成測定エリアＥＳを生成する。なお、図１７（Ｂ）の斜線部分は、Ｘθ方向又はＹ方向の分割測定では測定できなかった部分である。次に、図１８（Ａ）示すように、レンズＬｅをＹθ方向又はＸ方向に移動させながら、測定エリア１、測定エリア２、及び、測定エリア３と三回に分けて測定する。そして、図１８（Ｂ）に示すように、測定エリア１から３の測定結果を統合（合成）して、合成測定エリアＥＳを生成する。なお、図１８（Ｂ）の斜線部分は、Ｙθ方向又はＸ方向の分割測定では測定できなかった部分である。そして、図１７（Ｂ）に示すＸθ方向又はＹ方向の合成測定エリアＥＳ、及び、図１８（Ｂ）に示すＹθ方向又はＸ方向の合成測定エリアＥＳの両者を統合（合成）することで、レンズＬｅ全体の光学特性を測定することができる。このように、光照射部１７の光照射エリアよりも大きいサイズのレンズであっても、本発明の分割測定によりレンズ全体の光学特性の測定が可能である。このため、本発明によれば、装置を小型化しても大型レンズの測定が可能である。また、分割測定では、レンズ各部の光学特性をレンズ各部に正確に紐づける必要があり、その際に、本発明のレンズ内部の二次元座標の規定を用いれば、正確な分割測定を実施できる。
【００６９】
［実施形態１１］
本実施形態は、レンズ後面Ｚ位置検出部として、磁気スイッチ（接触センサー）を用いた例である。図１９に基づき、磁気スイッチを用いたレンズ下面（裏面）のＺ軸座標位置検出の一例を示す。図示のとおり、この機構では、磁気スイッチ２１がスイッチアーム２２の一端に搭載されている。スイッチアーム２２の他端は、ホルダー２３に固定されている。ホルダー２３は、ラック２４に取り付けられており、Ｘ方向（Ｙ方向及びＺ方向と直交する方向）を軸として回動可能である。ホルダー２３は、ガイド溝２５に嵌合されている。ラック２４は、歯車２６に嵌合されている。モータ２７によって歯車２６を回転させることにより、ラック２４がＹ方向（装置の前後方向であり、図の左右方向）に進退可能である。ホルダー２３は、ラック２４とともに、ガイド溝２５に沿ってＹ方向に進退可能である。ガイド溝２５の最後部は、上方に屈曲しているため、ラック２４及びホルダー２３を最後方まで移動させると、ホルダー２３の後部がガイド溝２５の最後部に沿って上方に持ち上がる。ホルダー２３に取り付けられたスイッチアーム２２及び磁気スイッチ２１は、ホルダー２３の移動（進退及び回動）とともに移動する。磁気スイッチ２１は、ホルダー２３の回動により、Ｚ方向に上下動可能である。図１９（Ａ）に示すとおり、レンズ後面のＺ位置を測定するときは、磁気スイッチ２１をスイッチアーム２２及びホルダー２３とともに前進させ、さらに磁気スイッチ２１を上昇させてレンズ後面に接触させる。これにより、レンズ後面において磁気スイッチ２１と接触した位置のＺ位置を検出することができる。図１９（Ｂ）に示すとおり、レンズの光学特性測定時には、光軸を妨害しないように、磁気スイッチ２１及びスイッチアーム２２を後退させることができる。このとき、ラック２４及びホルダー２３を最後方まで移動させると、前述のとおり、ホルダー２３の後部がガイド溝２５の最後部に沿って上方に持ち上がる。このようにホルダー２３の回動によってホルダー２３の後部が持ち上がると、図１９（Ｂ）に示すとおり、ホルダー２３の前部に取り付けられたスイッチアーム２２及び磁気スイッチ２１が下降する。このようにスイッチアーム２２及び磁気スイッチ２１が下降することで、スイッチアーム２２及び磁気スイッチ２１がレンズの光学特性測定の妨げとならないようにできる。
【００７０】
［実施形態１２］
図２０及び図２１に基づき、磁気スイッチを用いたレンズ後面（裏面）のＺ位置検出の別の一例を示す。図２０に示すとおり、このレンズ光学特性測定装置は、フレーム２８に、光照射部（バックライトモジュール）１７、磁気スイッチ２１、スイッチアーム２２及びモータ（ステッピングモータ）２７が取り付けられている。光照射部１７によりレンズ（図示せず）の下方から光を照射し、その光を、レンズの上方に配置した受光部（図示せず）で受光してレンズ光学特性を測定できる。磁気スイッチ２１は、図１９（実施形態１１）と同様に、スイッチアーム２２の一端に搭載されている。スイッチアーム２２の他端は、フレーム２８に取り付けられている。スイッチアーム２２は、モータ２７により回動及び上下動が可能である。
【００７１】
図２１に基づき、磁気スイッチ２１及びスイッチアーム２２の動作について説明する。図２１において、磁気スイッチ２１ａは、レンズ光学特性測定時の磁気スイッチ２１の状態を示す。スイッチアーム２２ａは、レンズ光学特性測定時のスイッチアーム２２の状態を示す。磁気スイッチ２１ｂは、レンズ表後面Ｚ位置検出時の磁気スイッチ２１の状態を示す。スイッチアーム２２ｂは、レンズ後面Ｚ位置検出時のスイッチアーム２２の状態を示す。レンズ光学特性測定時には、符号２１ａ及び２２ａで示すとおり、磁気スイッチ２１及びスイッチアーム２２を、測定を妨害しないように、光照射部１７の光路外に退避させておくことができる。一方、レンズ後面Ｚ位置検出時には、符号２１ｂ及び２２ｂで示すとおり、磁気スイッチ２１及びスイッチアーム２２を、光照射部１７の上方に配置させることができる。さらに、モータ２７により磁気スイッチ２１を上昇させてレンズ下面に接触させることで、図１９（実施形態１１）と同様に、レンズ後面において磁気スイッチ２１と接触した位置のＺ位置を検出することができる。磁気スイッチ２１及びスイッチアーム２２を、レンズ光学特性測定時（符号２１ａ及び２２ａ）からレンズ表面位置検出時（符号２１ｂ及び２２ｂ）の位置に移動させるためには、まず、スイッチアーム２２をモータ２７により上昇させ、つぎに、スイッチアーム２２をモータ２７により回転させて、磁気スイッチ２１を光照射部１７の上方に配置させればよい。一方、磁気スイッチ２１及びスイッチアーム２２を、レンズ表面位置検出時（符号２１ｂ及び２２ｂ）からレンズ光学特性測定時（符号２１ａ及び２２ａ）の位置に移動させるためには、まず、スイッチアーム２２を、モータ２７により前記とは逆方向に回転させて光照射部１７の上方から退避させ、つぎに、スイッチアーム２２をモータ２７により下降させればよい。このようにスイッチアーム２２及び磁気スイッチ２１を光照射部１７の光路外に退避させることで、スイッチアーム２２及び磁気スイッチ２１がレンズの光学特性測定の妨げとならないようにできる。さらに、スイッチアーム２２が上下動可能であることで、スイッチアーム２２を格納するために、レンズを上昇及びその後下降させる動作の必要がなくなり、結果として、測定所要時間を短縮できる。具体的には、例えば、まず、磁気スイッチ２１及びスイッチアーム２２を、レンズ後面Ｚ位置検出時（符号２１ｂ及び２２ｂ）の位置からさらに上昇させておき、磁気スイッチ２１ｂをレンズ後面中心に接触させ、レンズ後面中心位置を検知する。その後、レンズのZ下降と約同時に又はタイムラグを持たせ、磁気スイッチ２１及びスイッチアーム２２をモータ２７で下降させた後に、前述のとおりレンズ光学特性測定時（符号２１ａ及び２２ａ）の位置に退避させる。さらに、その後、レンズ光学特性測定を行う。このようにすると、前述のとおり、スイッチアーム２２を格納するために、レンズを上昇及びその後下降させる動作の必要がない。スイッチアーム２２の上下動の幅は、特に限定されないが、例えば、約３０ｍｍ程度の幅である。
【００７２】
（実施形態１３）
本発明のレンズ光学特性測定装置において、前記枠体は、矩形状枠体であり、前記矩形状枠体は、互いに対抗する一対の辺を二組有し、前記一つの一対の辺が前記装置の左右方向に対応し、前記他方の一対の辺が前記装置の前後方向に対応し、前記矩形状枠体が、前記左右方向を回転軸として回転可能に軸支され、前記矩形状枠体に対し、順方向又は逆方向のいずれかの回転方向に付勢されている、という態様であってもよい。
【００７３】
ノーズピースで、かつ上部で面直姿勢を作れる場合は、レンズによっては、近点等の測定点がレンズの端にある場合、測定点での面直な姿勢が取れない場合があるが、本実施形態では、測定点がレンズの端にある場合であっても、レンズ後面の面直方向でのレンズ光学特性の測定が可能となる。
【００７４】
図２３に、本実施形態のレンズ保持部１８の一例を示す。図２３に示すように、本実施形態のレンズ保持部１８は、装置の左右方向に対応する一対の辺と、装置の前後方向に対応する他の一対の辺を有し、前後方向に対応する一対の辺が、カタカナの「コ」状の支持部材１８ｊによって前記左右方向を回転軸として回転自在に軸支されている。また、前記矩形状枠体１８ｈは、図示しない付勢部材（バネ等）により、同図に示す順方向又は逆方向のいずれかの回転方向に付勢されている。なお、図２３の順方向及び逆方向は、例示であり、逆であってもよい。本実施形態のレンズ保持部１８は、前述の構成以外は、図１１のレンズ保持部１８と同じである。
【００７５】
図２４に、三本のレンズ受けピン３１に、レンズＬｅを載置する状態を示す。図２４（Ａ）に示すように、測定点が光学中心点のように、レンズＬｅの中央部付近にある場合、レンズＬｅは三本のレンズ受けピン３１に載置され、レンズ後面の面直状態で光学特性が測定できるため、問題はない。一方、図２４（Ｂ）に示すように、例えば、近点がレンズの端にある場合、図２３のレンズ保持部１８によれば、枠体１８ｈが回転方向に付勢されているため、図２４（Ｂ）に示すように、レンズＬｅ後面を面直状態に維持して光学特性を測定できる。
【００７６】
（実施形態１４）
本発明の測定方法において、前記第１の測定工程、及び、前記第２の測定工程のいずれか一方の工程において、前記測定点にマークがある場合は、前記マークがある前記測定点に前記光軸が通るように、前記レンズを移動して前記レンズ受部に前記レンズを載置してレンズ光学特性を測定し、前記測定点にマークが無い場合は、前記レンズ支持部の前記レンズ受部よりも高い上方位置に前記レンズを配置し、前記レンズにおいて仮測定点を想定して、前記仮測定点に前記光軸が通るように、前記レンズを移動してレンズ光学特性を測定する、という態様であってもよい。
【００７７】
本実施形態は、例えば、瞳孔間距離（ＰＤ）が変化するときに、好ましく対応できる形態である。例えば、図２５（Ｃ）に示すように、測定点にマークがあるレンズであれば、マークがある測定点に光軸（同図において点線）が通るように、レンズＬｅを移動してレンズ受けピン３１にレンズＬｅを載置してレンズ光学特性を測定する。一方、図２５（Ａ）及び（Ｂ）に示すように、測定点にマークが無い場合は、レンズ受けピン３１よりも高い上方位置にレンズＬｅを配置し、レンズＬｅにおいて仮測定点を想定して、仮測定点に光軸（同図において点線）が通るように、レンズＬｅを移動してレンズ光学特性を測定する。例えば、レンズ受けピン３１の高さが２４ｍｍの場合、レンズＬｅを高さ２８ｍｍの位置で水平姿勢で保持し、遠点及び近点を仮想点として仮決めし、レンズＬｅの仕様（単焦点か否か、遠近レンズ、中近レンズ、又は近近レンズか否か等）を確認して、必要に応じ、光学中心又は基準を光軸に合わせて再測定する。図２５（Ａ）に示すように、レンズの光学特性の測定の前後において、レンズのＺ位置（高さ）を磁気スイッチ２１により検出した方が、測定精度が向上する。
【００７８】
（実施形態１５）
図２６に、光照射部１７の形態と、レンズＬｅとの関係を示す。本実施形態の光照射部１７（バックライトモジュール）は、先端側が細くなったいわゆる船形形状をしている。図２６（ａ）は、光照射部１７の上面図であり、同図（ｂ）は正面図であり、同図（ｃ）は、側面図である。図２６に示すように、光照射部１７の形態が、先端側が細くなった形態であると、レンズＬｅを傾けたときに、レンズＬｅ後面が光照射部１７にぶつかることを防止できる。
【００７９】
［実施形態１６］
本実施形態のプログラムは、本発明の方法の各工程を、コンピュータに実行させるプログラムである。また、本実施形態のプログラムは、例えば、コンピュータ読み取り可能な記録媒体に記録されていてもよい。前記記録媒体としては、特に限定されず、例えば、読み出し専用メモリ（ＲＯＭ）、ハードディスク（ＨＤ）、光ディスク等が挙げられる。
【００８０】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００８１】
以上、説明したとおり、本発明によれば、眼鏡レンズをノーズピース等に載置した状態で、複数の測定点の光学特性を、容易に、かつ、高精度で測定可能である。本発明は、例えば、眼鏡店等において、眼鏡の光学特性を測定するのに有用である。
【符号の説明】
【００８２】
１      レンズ光学特性測定装置
１１    操作入力部
１２    測定制御部
１３    測定演算部
１４    記憶部
１５    出力部
１６    レンズ位置移動部
１７    光照射部
１８    レンズ保持部
１９、１９１    受光部
２１、２１ａ、２１ｂ  磁気スイッチ
２２、２２ａ、２２ｂ  スイッチアーム
２３  ホルダー
２４  ラック
２５  ガイド溝
２６  歯車
２７  モーター
２８  フレーム
Ｌｅ    レンズ
【図１】
2022003307.tif 000003
【図２】
2022003307.tif 000004
【図３】
2022003307.tif 000005
【図４】
2022003307.tif 000006
【図５】
2022003307.tif 000007
【図６】
2022003307.tif 000008
【図７】
2022003307.tif 000009
【図８】
2022003307.tif 000010
【図９】
2022003307.tif 000011
【図１０】
2022003307.tif 000012
【図１１】
2022003307.tif 000013
【図１２】
2022003307.tif 000014
【図１３】
2022003307.tif 000015
【図１４】
2022003307.tif 000016
【図１５】
2022003307.tif 000017
【図１６】
2022003307.tif 000018
【図１７】
2022003307.tif 000019
【図１８】
2022003307.tif 000020
【図１９】
2022003307.tif 000021
【図２０】
2022003307.tif 000022
【図２１】
2022003307.tif 000023
【図２２】
2022003307.tif 000024
【図２３】
2022003307.tif 000025
【図２４】
2022003307.tif 000026
【図２５】
2022003307.tif 000027
【図２６】
2022003307.tif 000028